(57)【要約】      （修正有）【課題】メンテナンスのコストダウンを図ると共に、メンテナンス作業者の負担を軽減し、電子機器に対する所望のメンテナンスを簡単かつ確実に実行できるようにする。【解決手段】メンテナンスを実行するためのメンテナンスプログラムおよびメンテナンスの処理内容を示すメンテナンス種別を含むメンテナンス情報を予め可搬性のメモリ媒体２に記録し、このメモリ媒体２をメンテナンス対象の電子機器２１に装填して読み取ることにより、メンテナンス情報に基づいて当該電子機器２１のメンテナンスを実行する。【選択図】図３
2006293735.tif 000002
【特許請求の範囲】
【請求項１】
メンテナンスを実行するためのメンテナンスプログラムおよびメンテナンスの処理内容を示すメンテナンス種別を含むメンテナンス情報を予め可搬性のメモリ媒体に記録し、上記メモリ媒体をメンテナンス対象の電子機器に装填して読み取ることにより、上記メンテナンス情報に基づいて当該電子機器のメンテナンスを実行することを特徴とする電子機器のメンテナンス方法。
【請求項２】
上記メモリ媒体に記録するメンテナンス情報は、メンテナンス対象機種情報およびメンテナンス対象機器パスワード情報を含み、
上記電子機器には、その機種情報およびパスワード情報を予め記憶しておき、
上記電子機器において、上記メモリ媒体から読み取った上記メンテナンス対象機種情報および上記メンテナンス対象機器パスワード情報と、当該電子機器に記憶されている上記機種情報および上記パスワード情報とを照合して、一致した場合のみメンテナンスを実行することを特徴とする請求項１に記載の電子機器のメンテナンス方法。
【請求項３】
上記メモリ媒体に記録するメンテナンス情報は、メンテナンスの開始タイミングを指定する動作モード情報を含み、
上記メモリ媒体から読み取った上記動作モード情報に基づいてメンテナンスを開始させることを特徴とする請求項１または２に記載の電子機器のメンテナンス方法。
【請求項４】
上記動作モード情報は、メンテナンスを自動的に開始させる自動モード、上記電子機器からの開始指令を受けてメンテナンスを開始させるマニュアルモードのいずれかであることを特徴とする請求項３に記載の電子機器のメンテナンス方法。
【請求項５】
上記マニュアルモードでは、上記電子機器の操作スイッチの操作または上記電子機器によって指定された時刻の到達による開始指令によってメンテナンスを開始させることを特徴とする請求項４に記載の電子機器のメンテナンス方法。
【請求項６】
上記メンテナンス種別は、上記メモリ媒体から上記電子機器に構成定義情報を転送する構成定義の復元処理を含むことを特徴とする請求項１乃至５のいずれか一項に記載の電子機器のメンテナンス方法。
【請求項７】
上記メンテナンス種別は、上記電子機器に格納されている構成定義情報を上記メモリ媒体に転送する構成定義の退避処理を含むことを特徴とする請求項１乃至６のいずれか一項に記載の電子機器のメンテナンス方法。
【請求項８】
上記メンテナンス種別は、上記メモリ媒体から上記電子機器に制御プログラムを転送してアップデートするプログラムアップデート処理を含むことを特徴とする請求項１乃至７のいずれか一項に記載の電子機器のメンテナンス方法。
【請求項９】
上記メンテナンス種別は、上記電子機器に格納されているメモリ情報を上記メモリ媒体に転送するメモリダンプ採取処理を含むことを特徴とする請求項１乃至８のいずれか一項に記載の電子機器のメンテナンス方法。
【請求項１０】
上記メンテナンス種別は、上記電子機器に格納されているロギング情報を上記メモリ媒体に転送するロギング情報採取処理を含むことを特徴とする請求項１乃至９のいずれか一項に記載の電子機器のメンテナンス方法。
【請求項１１】
上記メンテナンス種別は、上記メモリ媒体から上記電子機器に診断プログラムを転送して診断を実行させ、その診断結果を上記メモリ媒体に転送して記録する診断処理を含むことを特徴とする請求項１乃至１０のいずれか一項に記載の電子機器のメンテナンス方法。
【請求項１２】
上記電子機器には、メンテナンスの実行中に実行状態にあることを表示させると共に、メンテナンスの完了後は完了状態にあることを表示させることを特徴とする請求項１乃至１１のいずれか一項に記載の電子機器のメンテナンス方法。
【請求項１３】
請求項１乃至１２のいずれか一項に記載の電子機器のメンテナンス方法に用いる可搬性のメモリ媒体であって、
情報の記録再生が可能で、記録情報として上記メンテナンス情報を有することを特徴とするメモリ媒体。
【請求項１４】
請求項１乃至１２のいずれか一項に記載の電子機器のメンテナンス方法に用いる可搬性のメモリ媒体に上記メンテナンス情報を記録する情報記録装置であって、
上記メモリ媒体を着脱自在に装填して情報の記録を行うメモリ媒体記録部と、
予め格納した複数のメンテナンス情報から所望のメンテナンス情報を選択編集して上記メモリ媒体記録部を介して上記メモリ媒体に記録するメンテナンス情報編集部と、
を有することを特徴とする情報記録装置。
【請求項１５】
請求項１乃至１２のいずれか一項に記載のメンテナンスを実行する電子機器であって、
上記メモリ媒体を着脱自在に装填して情報の記録再生を行うメモリ媒体記録再生部と、
上記メモリ媒体記録再生部を介して上記メモリ媒体を読み取ってメンテナンスを実行するメンテナンス制御部と、
を有することを特徴とする電子機器。
【発明の詳細な説明】
【技術分野】
【０００１】
本発明は、例えばコンピュータ装置等の電子機器におけるメンテナンス方法、それに用いるメモリ媒体、およびメモリ媒体に所要のメンテナンス情報を記録する情報記録装置、並びにメンテナンス対象の電子機器に関するものである。
【背景技術】
【０００２】
近年、コンピュータ装置等の電子機器は、あらゆる分野で使用されており、その構成は複雑で、機能も膨大となっており、また、プログラムのアップデート等のメンテナンスも頻繁に行なわれている。
【０００３】
このような電子機器に対する従来のメンテナンス方法として、例えば、図５に示すように、パソコン等のメンテナンス装置５１を用い、このメンテナンス装置５１をメンテナンス対象の電子機器５２とＲＳ２３２Ｃケーブル等の通信ケーブル５３を介して接続して、メンテナンス装置５１のコマンド入力部５５から、メンテナンスプログラムに従ってメンテナンス内容を示すメンテナンス種別に応じた所要のコマンドを入力することにより、メンテナンスを実行するようにしたものが知られている。
【０００４】
ここで、メンテナンス種別には、電子機器５２の構成定義の退避処理および復元処理、プログラムのアップデート処理、メモリダンプの採取処理、ロギング情報の採取処理、機器診断処理等があり、これらのメンテナンス種別はメンテナンス装置５１のメモリ５６に予め格納されており、メンテナンス作業者によるコマンド入力部５５からのコマンド入力によって所要のメンテナンス種別が読み出されて、通信ケーブル５３を経て電子機器５２に転送されるようになっている。
【０００５】
また、電子機器５２では、メンテナンス装置５１からのコマンドを受けてコマンド制御部５７により所要のメンテナンスを実行して、構成定義情報、ロギング情報、プログラム等の情報を一時的にメモリ５８へ格納し、フラッシュメモリ５９のプログラムやロギング情報等を最新の内容に更新するようにしている。
【発明の開示】
【発明が解決しようとする課題】
【０００６】
しかしながら、上述した従来のメンテナンス方法にあっては、メンテナンス装置５１を用いてメンテナンスを行うため、多数台の電子機器５２を管理する場合には、メンテナンス装置５１を複数台用意して、保管しておく必要がある。このため、メンテナンスのコストアップを招くことが懸念される。
【０００７】
また、メンテナンスの際には、メンテナンス装置５１を、メンテナンス対象の電子機器５２が設置されている現場に持ち込み、さらに、現場において、メンテナンス作業者によりメンテナンス装置５１のコマンド入力部５５を操作してメンテナンスを実行する必要がある。このため、メンテナンス作業が面倒で手間がかかると共に、作業者は、メンテナンス操作を習熟する必要があることから、作業者の負担が大きくなる。また、作業者がメンテナンス操作を習熟していても、作業者の手動操作によるコマンド入力によってメンテナンスを行うため、操作ミスが生じ易く、これにより所要のメンテナンスが実行されない等のミスが生じることも懸念される。
【０００８】
したがって、かかる事情に鑑みてなされた本発明の目的は、メンテナンスのコストダウンが図れると共に、メンテナンス作業者の負担を軽減でき、電子機器に対する所望のメンテナンスを簡単かつ確実に実行できるメンテナンス方法、それに用いるメモリ媒体、およびメモリ媒体に所要のメンテナンス情報を記録する情報記録装置、並びにメンテナンス対象の電子機器を提供することにある。
【課題を解決するための手段】
【０００９】
上記目的を達成する請求項１に係る電子機器のメンテナンス方法の発明は、
メンテナンスを実行するためのメンテナンスプログラムおよびメンテナンスの処理内容を示すメンテナンス種別を含むメンテナンス情報を予め可搬性のメモリ媒体に記録し、上記メモリ媒体をメンテナンス対象の電子機器に装填して読み取ることにより、上記メンテナンス情報に基づいて当該電子機器のメンテナンスを実行することを特徴とするものである。
【００１０】
請求項２に係る発明は、請求項１に記載の電子機器のメンテナンス方法において、
上記メモリ媒体に記録するメンテナンス情報は、メンテナンス対象機種情報およびメンテナンス対象機器パスワード情報を含み、
上記電子機器には、その機種情報およびパスワード情報を予め記憶しておき、
上記電子機器において、上記メモリ媒体から読み取った上記メンテナンス対象機種情報および上記メンテナンス対象機器パスワード情報と、当該電子機器に記憶されている上記機種情報および上記パスワード情報とを照合して、一致した場合のみメンテナンスを実行することを特徴とするものである。
【００１１】
請求項３に係る発明は、請求項１または２に記載の電子機器のメンテナンス方法において、
上記メモリ媒体に記録するメンテナンス情報は、メンテナンスの開始タイミングを指定する動作モード情報を含み、
上記メモリ媒体から読み取った上記動作モード情報に基づいてメンテナンスを開始させることを特徴とするものである。
【００１２】
請求項４に係る発明は、請求項３に記載の電子機器のメンテナンス方法において、
上記動作モード情報は、メンテナンスを自動的に開始させる自動モード、上記電子機器からの開始指令を受けてメンテナンスを開始させるマニュアルモードのいずれかであることを特徴とするものである。
【００１３】
請求項５に係る発明は、請求項４に記載の電子機器のメンテナンス方法において、
上記マニュアルモードでは、上記電子機器の操作スイッチの操作または上記電子機器によって指定された時刻の到達による開始指令によってメンテナンスを開始させることを特徴とするものである。
【００１４】
請求項６に係る発明は、請求項１乃至５のいずれか一項に記載の電子機器のメンテナンス方法において、
上記メンテナンス種別は、上記メモリ媒体から上記電子機器に構成定義情報を転送する構成定義の復元処理を含むことを特徴とするものである。
【００１５】
請求項７に係る発明は、請求項１乃至６のいずれか一項に記載の電子機器のメンテナンス方法において、
上記メンテナンス種別は、上記電子機器に格納されている構成定義情報を上記メモリ媒体に転送する構成定義の退避処理を含むことを特徴とするものである。
【００１６】
請求項８に係る発明は、請求項１乃至７のいずれか一項に記載の電子機器のメンテナンス方法において、
上記メンテナンス種別は、上記メモリ媒体から上記電子機器に制御プログラムを転送してアップデートするプログラムアップデート処理を含むことを特徴とするものである。
【００１７】
請求項９に係る発明は、請求項１乃至８のいずれか一項に記載の電子機器のメンテナンス方法において、
上記メンテナンス種別は、上記電子機器に格納されているメモリ情報を上記メモリ媒体に転送するメモリダンプ採取処理を含むことを特徴とするものである。
【００１８】
請求項１０に係る発明は、請求項１乃至９のいずれか一項に記載の電子機器のメンテナンス方法において、
上記メンテナンス種別は、上記電子機器に格納されているロギング情報を上記メモリ媒体に転送するロギング情報採取処理を含むことを特徴とするものである。
【００１９】
請求項１１に係る発明は、請求項１乃至１０のいずれか一項に記載の電子機器のメンテナンス方法において、
上記メンテナンス種別は、上記メモリ媒体から上記電子機器に診断プログラムを転送して診断を実行させ、その診断結果を上記メモリ媒体に転送して記録する診断処理を含むことを特徴とするものである。
【００２０】
請求項１２に係る発明は、請求項１乃至１１のいずれか一項に記載の電子機器のメンテナンス方法において、
上記電子機器には、メンテナンスの実行中に実行状態にあることを表示させると共に、メンテナンスの完了後は完了状態にあることを表示させることを特徴とするものである。
【００２１】
さらに、上記目的を達成する請求項１３に係るメモリ媒体の発明は、
請求項１乃至１２のいずれか一項に記載の電子機器のメンテナンス方法に用いる可搬性のメモリ媒体であって、
情報の記録再生が可能で、記録情報として上記メンテナンス情報を有することを特徴とするものである。
【００２２】
さらに、上記目的を達成する請求項１４に係る情報記録装置の発明は、
請求項１乃至１２のいずれか一項に記載の電子機器のメンテナンス方法に用いる可搬性のメモリ媒体に上記メンテナンス情報を記録する情報記録装置であって、
上記メモリ媒体を着脱自在に装填して情報の記録を行うメモリ媒体記録部と、
予め格納した複数のメンテナンス情報から所望のメンテナンス情報を選択編集して上記メモリ媒体記録部を介して上記メモリ媒体に記録するメンテナンス情報編集部と、
を有することを特徴とするものである。
【００２３】
さらに、上記目的を達成する請求項１５に係る電子機器の発明は、
請求項１乃至１２のいずれか一項に記載のメンテナンスを実行する電子機器であって、
上記メモリ媒体を着脱自在に装填して情報の記録再生を行うメモリ媒体記録再生部と、
上記メモリ媒体記録再生部を介して上記メモリ媒体を読み取ってメンテナンスを実行するメンテナンス制御部と、
を有することを特徴とするものである。
【発明の効果】
【００２４】
本発明によると、可搬性のメモリ媒体にメンテナンス情報を予め記録し、このメモリ媒体をメンテナンス対象の電子機器に装填して読み取ることにより、記録されているメンテナンス情報に基づいてメンテナンスを実行するようにしたので、多数台の電子機器を管理する場合には、メンテナンス用の複数のメモリ媒体を用意すれば良く、また、メンテナンスの際は、メンテナンス現場にメモリ媒体のみを持ち込めば済むと共に、メンテナンス作業者によるコマンド入力も不要となる。したがって、メンテナンスのコストダウンが図れると共に、メンテナンス作業者の負担を軽減でき、電子機器に対する所望のメンテナンスを簡単かつ確実に実行することができる。
【発明を実施するための最良の形態】
【００２５】
以下、本発明の実施の形態について、図を参照して説明する。
【００２６】
図１は、本発明に係るメンテナンス方法に用いるメモリ媒体にメンテナンス情報を記録する情報記録装置の一実施の形態の概略構成を示す機能ブロック図である。
【００２７】
この情報記録装置１は、例えばパソコン等のコンピュータ装置からなるもので、可搬性のメモリ媒体２を着脱自在に装填して情報の記録を行うメモリ媒体記録部であるメモリドライブ装置３と、メンテナンス情報を簡易メニュー形式で予め格納する内蔵メモリ４と、この内蔵メモリ４に格納されているメンテナンス情報からメンテナンスを実行するためのメンテナンスプログラムおよびメンテナンスの処理内容を示す所望のメンテナンス種別を選択編集してメモリドライブ装置３によりメモリ媒体２に記録するメンテナンス情報編集部５とを有している。
【００２８】
この情報記録装置１によりメモリ媒体２にメンテナンス情報を記録するにあたっては、先ず、メモリ媒体２を情報記録装置１のメモリドライブ装置３に装填する。次に、情報記録装置１に組み込まれたプログラムにより内蔵メモリ４に格納されているメンテナンス情報の簡易メニューを読み出し、その読み出した簡易メニューから、メンテナンス情報編集部５によりメンテナンスプログラムおよび所望のメンテナンス種別を含むメンテナンス情報を選択編集して、メモリドライブ装置３によりメモリ媒体２に記録する。
【００２９】
ここで、メンテナンス情報の簡易メニューとしては、例えば図２に示すように、メンテナンス対象機器の機種情報として機種名を選択するメンテナンス対象機種名選択メニュー１１、メンテナンス対象機器のパスワードを入力する機器パスワード入力メニュー１２、メンテナンスプログラムおよび所望のメンテナンス種別を選択するメンテナンス選択メニュー１３、メンテナンスの動作モードを選択する動作モード選択メニュー１４を格納しておく。
【００３０】
なお、メンテナンス選択メニュー１３では、メンテナンス種別として、例えば、メンテナンス対象機器に対する構成定義の退避処理および復元処理、制御プログラムのアップデート処理、メモリダンプの採取処理、ロギング情報の採取処理、機器の診断処理等のメンテナンス種別から所望のメンテナンス種別を選択するようにする。
【００３１】
また、動作モード選択メニュー１４では、例えば、メンテナンス情報の読み取りによってメンテナンスを自動的に開始させる自動モード、メンテナンス対象機器からの開始指令を受けてメンテナンスを開始させるマニュアルモードのいずれかを選択するようにすると共に、マニュアルモードでは、メンテナンス対象機器の操作スイッチの操作によってメンテナンスを開始させるスイッチ押下動作モード、メンテナンス対象機器によって指定された時刻にメンテナンスを開始させる指定時刻動作モードのいずれかを選択するようにする。
【００３２】
本実施の形態では、簡易メニューのメンテナンス対象機種名選択メニュー１１からメンテナンス対象機器の機種名を選択し、パスワード入力メニュー１２からメンテナンス対象機器の機器パスワードを入力し、メンテナンス選択メニュー１３からメンテナンスプログラムおよび所望のメンテナンス種別を選択し、さらに動作モード選択メニュー１４から所望の動作モードを選択して、それらの情報をメンテナンス情報編集部５で編集して、メモリドライブ装置３によりメモリ媒体２に記録する。
【００３３】
図３は、本発明に係るメンテナンス方法によりメンテナンスされる電子機器の一実施の形態の概略構成を示す機能ブロック図である。
【００３４】
この電子機器２１は、例えばパソコンやルータ等のコンピュータ装置からなるもので、可搬性のメモリ媒体を着脱自在に装填して情報の記録再生を行うメモリ媒体記録再生部であるメモリドライブ装置２２と、このメモリドライブ装置２２を介してメンテナンス用のメモリ媒体２を読み取ってメンテナンスを実行するメンテナンス制御部２３と、構成定義情報、ロギング情報、プログラム等の情報を一時的に格納するメモリ２４と、構成定義情報、ロギング情報、プログラム等の情報が格納されているフラッシュメモリ２５とを有しており、メンテナンス種別に応じて一時的にメモリ２４へ情報を格納して、フラッシュメモリ２５に格納されている情報の内容を更新したり、メンテナンス種別が機器の診断処理の場合には、その診断結果をメンテナンス用のメモリ媒体２に記録したりするようになっている。
【００３５】
さらに、電子機器２１は、メンテナンスの開始指令を与える操作スイッチ２８と、メンテナンスの開始時刻を入力する入力キーを有する例えばキーボードからなる入力部２６と、メンテナンス時の動作状態や各種のエラー状態等を表示する例えば発光ダイオード（ＬＥＤ）からなる表示部２７とを有している。
【００３６】
以下、図１に示した情報記録装置１によってメンテナンス情報を記録したメンテナンス用のメモリ媒体２を用いて図３に示した電子機器２１のメンテナンスを行う場合の本発明の一実施の形態に係るメンテナンス方法の概略工程について、図４に示すフローチャートを参照しながら説明する。
【００３７】
先ず、情報記録装置１によって所要のメンテナンス情報を記録したメンテナンス用のメモリ媒体２をメンテナンス現場に持ち込んで、メンテナンス対象の電子機器２１のメモリドライブ装置２２に装填する（ステップＳ１）。
【００３８】
次に、電子機器２１側において、装填されたメモリ媒体を読み取って、そのメモリ媒体がメンテナンス用のものか否かをチェックし（ステップＳ２）、メンテナンス用のものでない場合には、通常の待機状態とする（ステップＳ３）。
【００３９】
一方、装填されたメモリ媒体が、メンテナンス用のメモリ媒体２である場合には、先ず、メモリ媒体２からメンテナンス対象機種名を読み取って、その読み取ったメンテナンス対象機種名と、当該電子機器２１に予め記録されている機種名とが一致するか否かの機種チェックを行う（ステップＳ４）。
【００４０】
その結果、機種名が一致しない場合には、表示部２７のＬＥＤにより機種エラー状態を表示して（ステップＳ５）、処理を終了し、一致した場合には、次に、メモリ媒体２からメンテナンス対象機器の機器パスワードを読み取って、その読み取った機器パスワードと、当該電子機器２１に予め記録されている機器パスワードとが一致するか否かのパスワードチェックを行う（ステップＳ６）。
【００４１】
その結果、機器パスワードが一致しない場合には、表示部２７のＬＥＤによりパスワードエラー状態を表示して（ステップＳ７）、処理を終了し、一致する場合には、メモリ媒体２から読み取った動作モード情報が、自動モードかマニュアルモードかをチェックする（ステップＳ８）。
【００４２】
ここで、動作モード情報が自動モードの場合には、表示部２７のＬＥＤによりメンテナンス実行中状態を表示して（ステップＳ９）、メモリ媒体２からメンテナンスプログラムおよびメンテナンス種別を読み取って、その読み取ったメンテナンスプログラムに従って設定されたメンテナンス種別の処理を実行する（ステップＳ１０）。
【００４３】
これに対し、読み取った動作モード情報がマニュアルモードの場合には、その読み取ったマニュアルモードに従って、スイッチ押下動作モードの場合には、電子機器２１の操作スイッチ２８が操作されたか否か、また、指定時刻動作モードの場合には、電子機器２１の入力部２６からの入力操作によりメンテナンスの開始時刻を指定して、その指定時刻に到達したか否かをチェックし（ステップＳ１１）、操作スイッチが操作されたり、指定時刻に到達したりした時点で、ステップＳ９に移行する。
【００４４】
一方、ステップＳ１０のメンテナンス種別の実行処理は、ステップＳ１２において全てのメンテナンス種別の処理が終了したか否かをチェックしながら行い、全てのメンテナンス種別の処理が終了したら、次にメンテナンスが正常に終了したか否かをチェックし（ステップＳ１３）、正常に終了した場合には、表示部２７のＬＥＤによりメンテナンスの正常終了状態を表示して（ステップＳ１４）、メンテナンスを終了し、正常に終了しなかった場合には、表示部２７のＬＥＤによりメンテナンスエラー状態を表示して（ステップＳ１５）、メンテナンスを終了する。なお、メンテナンスエラー状態の表示は、正常に終了しなかったメンテナンス種別を識別可能に表示しても良いし、メンテナンス種別を識別することなく、全体として正常に終了しなかった旨を表示するようにしても良い。
【００４５】
以上のように、本実施の形態では、情報記録装置１により、可搬性のメモリ媒体にメンテナンスを実行するためのメンテナンスプログラムおよびメンテナンスの処理内容を示すメンテナンス種別を含む所要のメンテナンス情報を記録して、予めメンテナンス用のメモリ媒体２を作成し、このメモリ媒体２をメンテナンス対象の電子機器２１のメモリドライブ装置２２に装填して読み込ませることにより、記録されているメンテナンス情報に基づいて電子機器２１のメンテナンスを実行するようにしたので、多数台の電子機器を管理する場合には、専用の複数台のメンテナンス装置に代えて、メンテナンス用の複数のメモリ媒体を用意すれば良く、また、メンテナンスの際は、メンテナンス現場にメンテナンス用のメモリ媒体２のみを持ち込めば済むと共に、メンテナンス作業者によるコマンド入力も不要となる。したがって、メンテナンスのコストダウンが図れると共に、メンテナンス作業者の負担を軽減でき、電子機器に対する所望のメンテナンスを簡単かつ確実に実行することができる。
【図面の簡単な説明】
【００４６】
【図１】本発明に係るメンテナンス方法に用いるメモリ媒体にメンテナンス情報を記録する情報記録装置の一実施の形態の概略構成を示す機能ブロック図である。
【図２】図１に示す情報記録装置におけるメンテナンス情報の簡易メニューを説明するための図である。
【図３】本発明に係るメンテナンス方法によりメンテナンスされる電子機器の一実施の形態の概略構成を示す機能ブロック図である。
【図４】本発明の一実施の形態に係るメンテナンス方法の概略工程を示すフローチャートである。
【図５】従来のメンテナンス方法を説明するための図である。
【符号の説明】
【００４７】
１  情報記録装置
２  メモリ媒体
３  メモリドライブ装置
４  内蔵メモリ
５  メンテナンス情報編集部
１１  メンテナンス対象機種名選択メニュー
１２  機器パスワード入力メニュー
１３  メンテナンス選択メニュー
１４  動作モード選択メニュー
２１  電子機器
２２  メモリドライブ装置
２３  メンテナンス制御部
２４  メモリ
２５  フラッシュメモリ
２６  入力部
２７  表示部
２８  操作スイッチ
【図１】
2006293735.tif 000003
【図２】
2006293735.tif 000004
【図３】
2006293735.tif 000005
【図４】
2006293735.tif 000006
【図５】
2006293735.tif 000007